(57)【要約】【課題】電子黒板装置に書かれた画像を印刷する際に、ユーザにより印刷領域を指定することなく、画像が書かれている領域を自動的に印刷領域に設定して印刷処理を容易にできる電子黒板装置を提供する。【解決手段】画像の書き込みおよび消去が可能な入力画面（１１）と、入力画面（１１）に書き込まれた画像の位置情報を検出する画像検出部（１２）と、それらを制御する制御部（２０）とを有する電子黒板装置（１）であって、制御部（２０）の構成として、画像検出部（１２）により検出された前記画像の位置情報に基づき、前記画像が書き込まれた領域を含む最小の四方形の印刷領域を設定する４点の座標を算出する印刷領域座標算出手段（２１）を備えることを特徴とする。【選択図】図２
2015106871.tif 000002
【特許請求の範囲】
【請求項１】
画像の書き込みおよび消去が可能な入力画面と、前記入力画面に書き込まれた画像の位置情報を検出する画像検出部と、それらを制御する制御部とを有する電子黒板装置であって、
前記制御部は、前記画像検出部により検出された前記画像の位置情報に基づき、前記画像が書き込まれた領域を含む最小の四方形の印刷領域を設定する４点の座標を算出する印刷領域座標算出手段を備えることを特徴とする電子黒板装置。
【請求項２】
前記制御部は、
前記印刷領域座標算出手段により算出された４点の座標に基づき得られる前記印刷領域の縦横比を算出する印刷領域縦横比算出手段と、
前記印刷領域縦横比算出手段により算出された前記印刷領域の縦横比と、前記電子黒板装置に予め設定されている使用可能な用紙の縦横比を比較して、前記印刷領域に適した用紙の種類を選択する用紙選択手段と、
を備えることを特徴とする請求項１に記載の電子黒板装置。
【請求項３】
前記画像検出部は、前記入力画面に書き込まれた画像が更新されたときに、更新された画像の位置情報を読み取る機能を備え、
前記印刷領域座標算出手段は、更新された画像の位置情報と、先に画像が書き込まれた領域を含む最小の四方形の印刷領域を設定する４点の座標とを比較して、更新された画像を含む最小の四方形の印刷領域を設定する４点の座標を更新する機能を備えることを特徴とする請求項１または２に記載の電子黒板装置。
【請求項４】
前記制御部は、前記入力画面の入力領域を複数に分割する入力画面設定手段を備え、
前記印刷領域座標算出手段は、分割された入力領域ごとに書き込まれた画像の印刷領域を設定する機能を有し、
前記用紙選択手段は、分割された入力領域ごとに設定された印刷領域に適した用紙を選択する機能を有することを特徴とする請求項２または３に記載の電子黒板装置。
【請求項５】
前記印刷領域座標算出手段は、前記入力画面の入力領域を分割する境界部を含んで印刷領域が設定される画像が複数存在する場合は、前記境界部により分割される複数の入力領域を一つの入力領域として、前記複数の画像の印刷領域を含む最小の四方形の印刷領域を設定する機能を有することを特徴とする請求項４に記載の電子黒板装置。
【請求項６】
前記電子黒板装置は、外部の出力装置に接続可能に構成され、
前記用紙選択手段は、前記出力装置から出力可能な用紙の情報を取得して、前記印刷領域縦横比算出手段により算出された前記印刷領域の縦横比と、前記出力装置の用紙の縦横比を比較して、前記印刷領域に適した用紙を選択する機能を有することを特徴とする請求項２から４のうちの何れか一項に記載の電子黒板装置。
【発明の詳細な説明】
【技術分野】
【０００１】
本発明は、電子黒板装置に係り、特に、入力画面に書き込まれた画像を印刷する電子黒板装置に関する。
【背景技術】
【０００２】
従来、いわゆるＢＩＧ  ＰＡＤ（白板モード）のデータの紙出力を行う場合は、全てのデータを画像フォーマットに変更してから、画像処理技術を用いて、印字するエリアサイズを特定するようにしている。また、この印刷するエリアサイズに応じたサイズの用紙を使って紙出力を行うようにしている。
【０００３】
従来技術として、例えば、電子黒板装置において、同一黒板面上に印刷対象のユーザ画像とともに、ユーザ画像とユーザ画像の加工を指示する印刷データを混在して記載し、前記画像処理部がユーザ画像と制御データを分離し、ユーザ情報によって与えられる加工処理手順に基づいてユーザ画像を加工し、出力することを特徴とする方法が提案されている（特許文献１を参照）。
【０００４】
このように構成することで、ユーザは、ユーザ画像と同一黒板面上に同一の書き込み方法で加工指示することができ、操作が容易となる。また、加工指示に特別な装置が必要なく、安価に提供することが可能となる。
【先行技術文献】
【特許文献】
【０００５】
【特許文献１】特開２０１２−８６５号公報
【発明の概要】
【発明が解決しようとする課題】
【０００６】
しかしながら、特許文献１に記載の電子黒板装置では、制御データが予め規定されていたが、印刷を行う際に任意の図形を指定して制御データを記述する手順があるため、システムが複雑化するとともに、ユーザの手間がかかり、ユーザにとって負担になるという問題があった。
【０００７】
本発明は、上記従来の問題点に鑑みてなされたものであって、電子黒板装置に書かれた画像を印刷する際に、ユーザにより印刷領域を指定することなく、画像が書かれている領域を自動的に印刷領域に設定して印刷処理を容易にできる電子黒板装置を提供することを目的とする。
【課題を解決するための手段】
【０００８】
上述した課題を解決するための本発明に係る電子黒板装置は、次の通りである。
本発明は、画像の書き込みおよび消去が可能な入力画面と、前記入力画面に書き込まれた画像の位置情報を検出する画像検出部と、それらを制御する制御部とを有する電子黒板装置であって、前記制御部の構成として、前記画像検出部により検出された前記画像の位置情報に基づき、前記画像が書き込まれた領域を含む最小の四方形（正方形または矩形）の印刷領域を設定する４点の座標を算出する印刷領域座標算出手段を備えることを特徴とするものである。
【０００９】
また、本発明は、前記制御部の構成として、前記印刷領域座標算出手段により算出された４点の座標に基づき得られる前記印刷領域の縦横比を算出する印刷領域縦横比算出手段と、前記印刷領域縦横比算出手段により算出された前記印刷領域の縦横比と、前記電子黒板装置に予め設定されている使用可能な用紙の縦横比を比較して、前記印刷領域に適した用紙の種類（例えばＡ判、Ｂ判など）を選択する用紙選択手段と、を備えることが好ましい。
【００１０】
また、本発明は、前記画像検出部の機能として、前記入力画面に書き込まれた画像が更新されたとき（ユーザからの入力が加えられたり消去されたりしたとき）に、更新された画像の位置情報を読み取る機能をさらに備え、前記印刷領域座標算出手段の機能として、更新された画像の位置情報と、先に画像が書き込まれた領域を含む最小の四方形の印刷領域を設定する４点の座標とを比較して、更新された画像を含む最小の四方形の印刷領域を設定する４点の座標を更新する機能を備えることが好ましい。
【００１１】
また、本発明は、前記制御部の構成として、前記入力画面の入力領域を複数に分割する入力画面設定手段を備え、前記印刷領域座標算出手段には、分割された入力領域ごとに書き込まれた画像の印刷領域を設定する機能を有し、前記用紙選択手段には、分割された入力領域ごとに設定された印刷領域に適した用紙を選択する機能を有することが好ましい。
【００１２】
また、本発明は、前記印刷領域座標算出手段として、前記入力画面の入力領域を分割する境界部を含んで印刷領域が設定される画像が複数存在する場合は、前記境界部により分割される複数の入力領域を一つの入力領域として、前記複数の画像の印刷領域を含む最小の四方形の印刷領域を設定する機能を有することが好ましい。
【００１３】
また、本発明は、前記電子黒板装置が、外部の出力装置に接続可能に構成され、前記用紙選択手段の機能として、出力装置（例えば、画像形成装置）から出力可能な用紙の情報を取得して、印刷領域縦横比算出手段により算出された前記印刷領域の縦横比と、前記出力装置の用紙の縦横比を比較して、前記印刷領域に適した用紙（用紙の種類や用紙のサイズ）を選択する機能を有することが好ましい。
【発明の効果】
【００１４】
本発明の電子黒板装置によれば、画像の書き込みおよび消去が可能な入力画面と、前記入力画面に書き込まれた画像の位置情報を検出する画像検出部と、それらを制御する制御部とを有する電子黒板装置であって、前記制御部の構成として、前記画像検出部により検出された前記画像の位置情報に基づき、前記画像が書き込まれた領域を含む最小の四方形の印刷領域を設定する４点の座標を算出する印刷領域座標算出手段を備えることで、入力画面に書かれた画像を印刷する際に、ユーザにより印刷領域を指定することなく、画像が書かれている領域を設定する４点の座標に基づき自動的に印刷領域を設定して印刷処理を容易に行うことができる。
【図面の簡単な説明】
【００１５】
【図１】本発明の第１実施形態に係る電子黒板装置の全体の構成を示す説明図である。
【図２】前記電子黒板装置の電気的構成を示すブロック図である。
【図３】前記電子黒板装置の入力画面における画像が書き込まれた領域と印刷領域を設定する４点の座標を示す説明図である。
【図４】前記電子黒板装置の入力画面に書き込まれた画像を印刷する手順を示すフローチャートである。
【図５】本発明の第２実施形態に係る電子黒板装置の電気的構成を示すブロック図である。
【図６】前記電子黒板装置の入力画面が分割されたそれぞれの入力領域において印刷領域を設定する４点の座標を示す説明図である。
【図７】前記電子黒板装置の入力画面の分割された入力領域に書き込まれた画像を入力領域ごとに印刷する手順を示すフローチャートである。
【図８】本発明の第３実施形態の電子黒板装置の入力画面が分割された入力領域において境界線を越えて印刷領域を設定する４点の座標を示す説明図である。
【図９】前記電子黒板装置の入力画面の分割された入力領域に書き込まれた複数の画像を一括して印刷する手順を示すフローチャートである。
【発明を実施するための形態】
【００１６】
（第１実施形態）
以下、本発明を実施するための形態について図面を参照して説明する。
図１は本発明を実施する形態の一例であって、本発明の第１実施形態に係る電子黒板装置の全体の構成を示す説明図、図２は前記電子黒板装置の電気的構成を示すブロック図である。
【００１７】
第１実施形態は、図１，図２に示すように、画像の書き込みおよび消去が可能な入力画面１１と、入力画面１１に書き込まれた画像の位置情報を検出する画像検出部１２とを備えた表示部１０と、表示部１０を制御する制御部２０とを有する電子黒板装置１であって、この電子黒板装置１の特徴的な構成として、本発明に係る電子黒板装置の構成を採用したものである。
【００１８】
まず、電子黒板装置１の全体構成について説明する。
第１実施形態の電子黒板装置１は、図１，図２に示すように、ユーザにより入力される画像や電子黒板装置１で動作するソフトウエアのユーザインターフェース画面等を表示するための表示部１０と、ユーザインターフェース画面や入力された画像等を表示可能に変換処理して表示部１０へ表示したり、入力された描画等の出力処理をするための制御を行う制御部２０と、外部の出力装置に接続するためのインターフェース部３０を備えている。
【００１９】
電子黒板装置１は、インターフェース部３０を介してネットワーク（図示省略）に接続され、ネットワークを介して外部の出力装置である画像形成装置２に接続されている。
【００２０】
表示部１０は、図２に示すように、ユーザによる画像（描画）の書き込みおよび消去が可能な入力画面１１と、入力画面１１に書き込まれた画像の入力画面上位置情報を検出する画像検出部１２と、入力された画像情報等を記憶する記憶部１３を備えて構成されている。
【００２１】
入力画面１１は、図示しない入力ペンにより、ユーザが文字情報や描画情報を入力したり、表示されたユーザインターフェース画面に対してユーザが指示を行ったりすることが可能となっている。
【００２２】
画像検出部１２は、入力画面１１にユーザにより書き込まれた画像の位置情報を入力画面１１上の位置座標（ＸＹ座標）で検出する。
【００２３】
詳しくは、画像検出部１２は、入力された画像を複数の連続した点の集合としてとらえ、各点の位置座標を検出する。すなわち、図１に示すように、入力画面１１の長辺に沿う方向（横方向）をＸ軸方向、短辺に沿う方向（縦方向）をＹ軸方向として、入力された点のＸ軸およびＹ軸方向における位置座標を検出する。
【００２４】
なお、画像検出部１２は、第１実施形態では、入力画面１１に書き込まれた画像が更新（ユーザーからの入力）されたときに、更新された画像の位置情報を読み取る機能を備えている。
【００２５】
記憶部１３は、ユーザにより入力画面１１上に入力された文字情報や描画情報、それらの画像の位置情報等が記憶される。
【００２６】
次に、第１実施形態の制御部２０の特徴的な構成について説明する。
図３は第１実施形態の電子黒板装置の入力画面における画像が書き込まれた領域と印刷領域を設定する４点の座標を示す説明図である。
【００２７】
制御部２０は、図２に示すように、印刷領域座標算出手段２１と、印刷領域縦横比算出手段２２と、用紙選択手段２３を備えることを特徴としている。
【００２８】
印刷領域座標算出手段２１は、画像検出部１２により検出された入力画面１１に書き込まれた画像の位置情報に基づき、前記画像が書き込まれた領域（以下、「画像領域」と称する。）を含む最小の四方形（正方形または矩形）の印刷領域を設定する４点の座標を算出する。
【００２９】
具体的には、図３に示すように、入力画面１１にユーザにより画像（画像領域）ａ１が描かれた場合、画像ａ１の位置情報は、画像検出部１２により検出される。そして、印刷領域座標算出手段２１により、入力画面１１の画像ａ１の位置情報に基づき、画像ａ１を含む最小の四方形の印刷領域Ｐ１を設定する４点の座標ａ１１，ａ１２，ａ１３，ａ１４が算出される。
【００３０】
印刷領域縦横比算出手段２２は、印刷領域座標算出手段２１により算出された印刷領域Ｐ１の４点の座標に基づき得られる印刷領域Ｐ１の縦横比を算出する。
【００３１】
具体的には、図３に示すように、印刷領域座標算出手段２１により算出された４点の座標ａ１１，ａ１２，ａ１３，ａ１４に基づき、矩形の印刷領域Ｐ１の２辺Ｘａ１，Ｙａ１の長さが算出されて、印刷領域Ｐ１の縦横比が算出される。
【００３２】
用紙選択手段２３は、印刷領域縦横比算出手段２２により算出された印刷領域Ｐ１の縦横比と、電子黒板装置１に予め設定されている使用可能な用紙の縦横比を比較して、印刷領域Ｐ１に適した用紙の種類、例えばＡ４用紙、Ａ３用紙またはＢ４用紙などから最適な種類とサイズを選択する。
【００３３】
次に、第１実施形態の電子黒板装置１の入力画面に書き込まれた画像を印刷する手順についてフローチャートに沿って説明する。
図４は第１実施形態の電子黒板装置の入力画面に書き込まれた画像を印刷する手順を示すフローチャートである。
【００３４】
第１実施形態では、図３に示すように、電子黒板装置１の表示部１０の入力画面１１に書き込まれた画像ａ１を印刷する。
【００３５】
電子黒板装置１の入力画面１１に書き込まれた画像を印刷する処理が開始されると、図４に示すように、まず、画像検出部１２により入力画面１１に書き込まれた画像ａ１の位置座標が検出される（ステップＳ１１）。
【００３６】
そして、画像検出部１２により検出された画像ａ１の位置情報に基づき、印刷領域座標算出手段２１により、図３に示すように、画像ａ１が書き込まれた領域を含む最小の四方形の印刷領域Ｐ１を設定する４点の座標ａ１１，ａ１２，ａ１３，ａ１４が算出される（ステップＳ１２）。そして、ステップＳ１３に進む。
【００３７】
ステップＳ１３では、書き込まれた画像ａ１が更新されたか否かが判断される。
ステップＳ１３において、書き込まれた画像ａ１が更新されたと判断された場合は、ステップＳ１４に進み、画像ａ１の更新に応じて、書き込まれた画像ａ１の印刷領域Ｐ１を設定する４点の座標が変更される。そして、ステップＳ１５に進む。
【００３８】
一方、ステップＳ１３において、書き込まれた画像ａ１が更新されていないと判断された場合は、そのまま、ステップＳ１５に進む。
【００３９】
ステップＳ１５では、印刷領域座標算出手段２１により算出された印刷領域Ｐ１の４点の座標に基づき、印刷領域縦横比算出手段２２により印刷領域Ｐ１の縦横比が算出される。そして、用紙選択手段２３により印刷領域Ｐ１の縦横比と電子黒板装置１により印刷可能な用紙の縦横比とを比較して、最適な種類とサイズの用紙が選択される。
【００４０】
そして、ステップＳ１６に進み、入力画面１１に書き込まれた画像ａ１を印刷する処理が行われる。
【００４１】
第１実施形態の電子黒板装置１では、画像形成装置２が接続されているので、画像形成装置２に搭載された用紙のなかから最適な用紙が選択されて印刷される。
【００４２】
以上のように構成したので、第１実施形態によれば、入力画面１１を有して入力画面１１に書き込まれた画像を出力可能な電子黒板装置１において、制御部２０の構成として、印刷領域座標算出手段２１を備えることで、入力画面１１に書き込まれた画像を印刷する際に、画像検出部１２により検出された画像ａ１の位置情報に基づき、画像ａ１が書き込まれた領域を含む最小の四方形の印刷領域Ｐ１を設定する４点の座標を算出して、印刷領域Ｐ１のサイズ（大きさ、形状）を自動的に設定することができる。
【００４３】
また、第１実施形態では、制御部２０の構成として、印刷領域縦横比算出手段２２と、用紙選択手段２３を備えているので、印刷領域縦横比算出手段２２により、印刷領域座標算出手段２１により算出された４点の座標に基づき、印刷領域Ｐ１の縦横比を算出し、そして、用紙選択手段２３により、印刷領域縦横比算出手段２２により算出された印刷領域Ｐ１の縦横比と、電子黒板装置１に予め設定されている使用可能な用紙の縦横比を比較して、印刷領域Ｐ１に適した用紙の最適な種類とサイズを自動的に選択することができる。
【００４４】
また、第１実施形態では、画像検出部１２の構成として、入力画面１１に書き込まれた画像ａ１が更新されたときに、更新された画像の位置情報を読み取る機能を備えることで、更新された画像の位置情報に基づき、画像の印刷領域を即時更新することができる。
【００４５】
（第２実施形態）
次に、本発明の第２実施形態について図面を参照して説明する。
図５は本発明の第２実施形態に係る電子黒板装置の電気的構成を示すブロック図、図６は第２実施形態の電子黒板装置の入力画面が分割されたそれぞれの入力領域において印刷領域を設定する４点の座標を示す説明図である。
なお、第２実施形態に係る電子黒板装置２００において、第１実施形態の電子黒板装置１の構成と同様な構成を有するものは同一の符号を付することで説明を省略する。
【００４６】
第２実施形態の電子黒板装置２００は、図５に示すように、画像の書き込みおよび消去が可能な入力画面１１と、入力画面１１に書き込まれた画像の位置情報を検出する画像検出部１２とを備えた表示部１０と、表示部１０を制御する制御部２２０とを有する。
【００４７】
制御部２２０の特徴的な構成として、図５に示すように、印刷領域座標算出手段２１と、印刷領域縦横比算出手段２２と、用紙選択手段２３に加えて、入力画面設定手段２４を備えることを特徴としている。
【００４８】
入力画面設定手段２４は、入力画面１１の入力領域を複数に分割する機能を備えている。具体的には、入力画面設定手段２４は、図６に示すように、入力画面１１を上下方向に２分割する水平方向の中心線を境界線（境界部）Ｌ１として、入力画面１１を上部入力領域１１ａと下部入力領域１１ｂとに分割して設定する。
境界線Ｌ１は、入力画面１１には表示されないが、表示するようにしてもよい。
【００４９】
印刷領域座標算出手段２１は、第１実施形態に記載の機能に加えて、第２実施形態では、分割された上部入力領域１１ａ、下部入力領域１１ｂごとに書き込まれた上部画像ａ２、下部画像ｂ２の印刷領域を設定する機能を有する。
【００５０】
すなわち、印刷領域座標算出手段２１は、上部入力領域１１ａに書き込まれた上部画像ａ２を含む最小の四方形の上部印刷領域Ｐ２ａを設定する４点の座標ａ２１，ａ２２，ａ２３，ａ２４を算出し、下部入力領域１１ｂに書き込まれた下部画像ｂ２を含む最小の四方形の下部印刷領域Ｐ２ｂを設定する４点の座標ｂ２１，ｂ２２，ｂ２３，ｂ２４を算出する。
【００５１】
印刷領域縦横比算出手段２２は、第１実施形態に記載の機能に加えて、第２実施形態では、分割された上部入力領域１１ａ、下部入力領域１１ｂごとに印刷領域座標算出手段２１により算出された上部印刷領域Ｐ２ａ、下部印刷領域Ｐ２ｂのそれぞれの４点の座標に基づき得られる印刷領域の縦横比を算出する機能を有する。
【００５２】
用紙選択手段２３は、第１実施形態に記載の機能に加えて、第２実施形態では、分割された上部入力領域１１ａ、下部入力領域１１ｂごとに設定された上部印刷領域Ｐ２ａ、下部印刷領域Ｐ２ｂに適した用紙を選択する機能を有する。
【００５３】
次に、第２実施形態の電子黒板装置２００の入力画面１１の分割された上部入力領域１１ａおよび下部入力領域１１ｂに書き込まれた画像を入力領域ごとに印刷する手順についてフローチャートに沿って説明する。
図７は第２実施形態の電子黒板装置の入力画面の分割された入力領域に書き込まれた画像を入力領域ごとに印刷する手順を示すフローチャートである。
【００５４】
第２実施形態では、図６に示すように、電子黒板装置２００の入力画面１１の分割された上部入力領域１１ａおよび下部入力領域１１ｂに書き込まれた画像ａ２，ｂ２を入力領域ごとにそれぞれ印刷する。
【００５５】
電子黒板装置２００の入力画面１１に書き込まれた画像を印刷する処理が開始されると、図６に示すように、入力画面１１の入力領域が境界線Ｌ１により上部入力領域１１ａと下部入力領域１１ｂとにより分割される（ステップＳ２１）。
【００５６】
そして、画像検出部１２により上部入力領域１１ａに書き込まれた上部画像ａ２と下部入力領域１１ｂに書き込まれた下部画像ｂ２の位置座標が検出される（ステップＳ２２）。
【００５７】
そして、画像検出部１２により検出された上部画像ａ２と下部画像ｂ２の位置情報に基づき、印刷領域座標算出手段２１により、図６に示すように、上部画像ａ２が書き込まれた領域を含む最小の四方形の上部印刷領域Ｐ２ａを設定する４点の座標ａ２１，ａ２２，ａ２３，ａ２４と、下部画像ｂ２が書き込まれた領域を含む最小の四方形の下部印刷領域Ｐ２ｂを設定する４点の座標ｂ２１，ｂ２２，ｂ２３，ｂ２４が算出される（ステップＳ２３）。
そして、ステップＳ２４に進む。
【００５８】
ステップＳ２４では、書き込まれた上部画像ａ２および／または下部画像ｂ２が更新されたか否かが判断される。ステップＳ２４において、書き込まれた上部画像ａ１および／または下部画像ｂ２が更新されたと判断された場合は、ステップＳ２５に進み、上部画像ａ１および／または下部画像ｂ２の更新に応じて、書き込まれた画像の印刷領域を設定する４点の座標が変更される。そして、ステップＳ２６に進む。
【００５９】
一方、ステップＳ２４において、書き込まれた上部画像ａ２および／または下部画像ｂ２が更新されていないと判断された場合は、そのまま、ステップＳ２６に進む。
【００６０】
ステップＳ２６では、印刷領域座標算出手段２１により算出された上部印刷領域Ｐ２ａと下部印刷領域Ｐ２ｂのそれぞれの４点の座標に基づき、印刷領域縦横比算出手段２２により上部印刷領域Ｐ２ａと下部印刷領域Ｐ２ｂの縦横比が算出される。そして、用紙選択手段２３により上部印刷領域Ｐ２ａおよび下部印刷領域Ｐ２ｂの縦横比と電子黒板装置１により印刷可能な用紙の縦横比とを比較して、最適な種類とサイズの用紙が選択される。
【００６１】
そして、ステップＳ２７に進み、入力画面１１の上部入力領域１１ａ、下部入力領域１１ｂにそれぞれ書き込まれた上部画像ａ２、下部画像ｂ２を印刷する処理が行われる。
【００６２】
第２実施形態の電子黒板装置２００では、第１実施形態と同様に画像形成装置２が接続されているので、画像形成装置２に搭載された用紙のなかから最適な用紙の種類とサイズが選択されて印刷される。
【００６３】
以上のように構成したので、第２実施形態によれば、入力画面１１を有して入力画面１１に書き込まれた画像を出力可能な電子黒板装置２００において、制御部２２０の構成として、第１実施形態の構成に加えて、入力画面設定手段２４を備え、印刷領域座標算出手段２１の構成に、第１実施形態に記載の機能に加えて、分割された上部入力領域１１ａ、下部入力領域１１ｂごとに書き込まれた上部画像ａ２、下部画像ｂ２の印刷領域を設定する機能を備え、印刷領域縦横比算出手段２２の構成に、第１実施形態に記載の機能に加えて、分割された上部入力領域１１ａ、下部入力領域１１ｂごとに印刷領域座標算出手段２１により算出された上部印刷領域Ｐ２ａ、下部印刷領域Ｐ２ｂのそれぞれの４点の座標に基づき得られる印刷領域の縦横比を算出する機能を備え、用紙選択手段２３の構成に、第１実施形態に記載の機能に加えて、分割された上部入力領域１１ａ、下部入力領域１１ｂごとに設定された上部印刷領域Ｐ２ａ、下部印刷領域Ｐ２ｂに適した用紙を選択する機能を備えたことで、入力画面１１における２個所の入力領域に書き込まれた画像に対して、それぞれの最適な用紙の種類とサイズを自動的に選択することができる。
【００６４】
なお、第２実施形態では、入力画面１１の入力領域を水平方向の中心線を境界線Ｌ１として上下方向に２分割するようにしているが、入力画面１１の入力領域の分割はこれに限定するものではなく、入力画面１１の入力領域を左右方向に２分割する垂直方向の境界線を設けるものであってもよい。
また、入力画面１１の入力領域を２分割よりもさらに複数に分割するものであってもよい。
【００６５】
（第３実施形態）
次に、本発明の第３実施形態について図面を参照して説明する。
図８は本発明の第３実施形態の電子黒板装置の入力画面が分割された入力領域において境界線を越えて印刷領域を設定する４点の座標を示す説明図である。
なお、第３実施形態に係る電子黒板装置３００において、第１実施形態の電子黒板装置１の構成および第２実施形態の電子黒板装置２００の構成と同様な構成を有するものは同一の符号を付することで説明を省略する。
【００６６】
第３実施形態の電子黒板装置３００は、図５に示すように、画像の書き込みおよび消去が可能な入力画面１１と、入力画面１１に書き込まれた画像の位置情報を検出する画像検出部１２とを備えた表示部１０と、表示部１０を制御する制御部３２０とを有する。
【００６７】
制御部３２０の特徴的な構成として、図５に示すように、第２実施形態と同様に、印刷領域座標算出手段２１と、印刷領域縦横比算出手段２２と、用紙選択手段２３に加えて、入力画面設定手段２４を備えることを特徴としている。
【００６８】
入力画面設定手段２４は、入力画面１１の入力領域を複数に分割する機能を備えている。具体的には、入力画面設定手段２４は、図８に示すように、入力画面１１を上下方向に２分割する水平方向の中心線を境界線（境界部）Ｌ１として、入力画面１１を上部入力領域１１ａと下部入力領域１１ｂとに分割して設定する。
【００６９】
印刷領域座標算出手段２１は、第１実施形態および第２実施形態に記載の機能に加えて、第３実施形態では、入力画面１１の入力領域を分割する境界線Ｌ１を含んで書き込まれた画像、すなわち境界線Ｌ１を跨いで書き込まれた画像が複数存在する場合は、境界線Ｌ１により分割される複数の入力領域を一つの入力領域として、前記複数の画像を含む最小の四方形の印刷領域を設定する機能を有する。
【００７０】
具体的には、入力画面１１には、図８に示すように、境界線Ｌ１を跨いで上部入力領域１１ａから下部入力領域１１ｂにわたり第１画像ｃ１と第２画像ｃ２が書き込まれている。印刷領域座標算出手段２１は、境界線Ｌ１により分割される上部入力領域１１ａおよび下部入力領域１１ｂを一つの入力領域として設定して、第１画像ｃ１の領域と第２画像ｃ２の領域を含む最小の四方形の印刷領域Ｐ３を設定する４点の座標ｃ３１，ｃ３２，ｃ３３，ｃ３４を算出する。
【００７１】
印刷領域縦横比算出手段２２は、第１実施形態および第２実施形態に記載の機能に加えて、第３実施形態では、第１画像ｃ１の領域と第２画像ｃ２の領域を含む最小の四方形の印刷領域Ｐ３の４点の座標に基づき得られる印刷領域の縦横比を算出する機能を有する。
【００７２】
用紙選択手段２３は、第１実施形態および第２実施形態に記載の機能に加えて、第３実施形態では、第１画像ｃ１の領域と第２画像ｃ２の領域を含む最小の四方形の印刷領域Ｐ３に適した用紙を選択する機能を有する。
【００７３】
次に、第３実施形態の電子黒板装置３００の入力画面１１の分割された上部入力領域１１ａおよび下部入力領域１１ｂに書き込まれた第１画像ｃ１と第２画像ｃ２を一括して印刷する手順についてフローチャートに沿って説明する。
図９は第３実施形態の電子黒板装置の入力画面の分割された入力領域に書き込まれた複数の画像を一括して印刷する手順を示すフローチャートである。
【００７４】
第３実施形態では、図８に示すように、電子黒板装置３００の入力画面１１の分割された上部入力領域１１ａから下部入力領域１１ｂにわたり書き込まれた第１画像ｃ１と第２画像ｃ２を一括して印刷する。
【００７５】
電子黒板装置３００の入力画面１１に書き込まれた画像を印刷する処理が開始されると、図８に示すように、入力画面１１の入力領域が境界線Ｌ１により上部入力領域１１ａと下部入力領域１１ｂとにより分割される（ステップＳ３１）。
【００７６】
そして、画像検出部１２により上部入力領域１１ａおよび下部入力領域１１ｂに書き込まれた第１画像ｃ１と第２画像ｃ２の位置座標が検出される（ステップＳ３２）。
【００７７】
そして、入力画面１１の入力領域の境界線Ｌ１を跨いで印刷領域が設定される画像が複数存在するか否かが判断される（ステップＳ３３）。
【００７８】
ステップＳ３３において、図８に示すように、入力画面１１の入力領域の境界線Ｌ１を跨いで印刷領域が設定される画像（第１画像ｃ１，第２画像ｃ２）が複数存在すると判断された場合は、ステップＳ３４に進み、画像の印刷領域を含む複数の入力領域（上部入力領域１１ａおよび下部入力領域１１ｂ）を一つの入力領域として設定する。そして、ステップＳ３５に進む。
【００７９】
一方、ステップＳ３３において、入力画面１１の入力領域の境界線Ｌ１を跨いで印刷領域が設定される画像が複数存在しないと判断された場合は、そのまま、ステップＳ３５に進む。
【００８０】
ステップＳ３５では、印刷領域座標算出手段２１により、図８に示すように、書き込まれた第１画像ｃ１と第２画像ｃ２を含む印刷領域を設定する４点の座標ｃ３１，ｃ３２，ｃ３３，ｃ３４が算出される。そして、ステップＳ３６に進む。
【００８１】
ステップＳ３６では、書き込まれた第１画像ｃ１および／または第２画像ｃ２が更新されたか否かが判断される。ステップＳ３６において、書き込まれた第１画像ｃ１および／または第２画像ｃ２が更新されたと判断された場合は、ステップＳ３７に進み、第１画像ｃ１および／または第２画像ｃ２の更新に応じて、書き込まれた画像の印刷領域を設定する４点の座標が変更される。そして、ステップＳ３８に進む。
【００８２】
一方、ステップ３６において、書き込まれた第１画像ｃ１および／または第２画像ｃ２が更新されていないと判断された場合は、そのまま、ステップＳ３８に進む。
【００８３】
ステップＳ３８では、印刷領域座標算出手段２１により算出された印刷領域Ｐ３の４点の座標に基づき、印刷領域縦横比算出手段２２により印刷領域Ｐ３の縦横比が算出される。そして、用紙選択手段２３により印刷領域Ｐ３の縦横比と電子黒板装置１により印刷可能な用紙の縦横比とを比較して、最適な種類とサイズの用紙が選択される。
【００８４】
そして、ステップＳ３９に進み、入力画面１１の上部入力領域１１ａから下部入力領域１１ｂにわたり書き込まれた第１画像ｃ１と第２画像ｃ２とを一括して印刷する処理が行われる。
【００８５】
第３実施形態の電子黒板装置３００では、第１実施形態および第２実施形態と同様に画像形成装置２が接続されているので、画像形成装置２に搭載された用紙のなかから最適な用紙の種類とサイズが選択されて印刷される。
【００８６】
以上のように構成したので、第３実施形態によれば、入力画面１１を有して入力画面１１に書き込まれた画像を出力可能な電子黒板装置３００において、制御部３２０の構成として、第１実施形態および第２実施形態の構成に加えて、印刷領域座標算出手段２１の構成に、第１実施形態および第２実施形態に記載の機能に加えて、入力画面１１の入力領域を分割する境界線Ｌ１を跨いで書き込まれた画像が複数存在する場合は、境界線Ｌ１により分割される複数の入力領域を一つの入力領域として、前記複数の画像を含む最小の四方形の印刷領域を設定する機能を備え、印刷領域縦横比算出手段２２の構成として、第１実施形態および第２実施形態に記載の機能に加えて、第１画像ｃ１の領域と第２画像ｃ２の領域を含む最小の四方形の印刷領域Ｐ３の４点の座標に基づき得られる印刷領域の縦横比を算出する機能を備え、用紙選択手段２３の構成として、第１実施形態および第２実施形態に記載の機能に加えて、第１画像ｃ１の領域と第２画像ｃ２の領域を含む最小の四方形の印刷領域Ｐ３に適した用紙を選択する機能を備えたことで、入力画面１１における分割された入力領域にまたがり書き込まれた第１画像ｃ１と第２画像ｃ２に対して、ひとつの印刷領域Ｐ３にまとめて最適な用紙の種類とサイズの用紙により自動的に出力することができる。
【００８７】
なお、本発明は、上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８８】
１，２００，３００  電子黒板装置
２  画像形成装置
１０  表示部
１１  入力画面
１１ａ  上部入力領域
１１ｂ  下部入力領域
１２  画像検出部
１３  記憶部
２０，２２０，３２０  制御部
２１  印刷領域座標算出手段
２２  印刷領域縦横比算出手段
２３  用紙選択手段
２４  入力画面設定手段
３０  インターフェース部
ａ１  画像
ａ２  上部画像
ｂ２  下部画像
ｃ１  第１画像
ｃ２  第２画像
Ｌ１  境界線（境界部）
Ｐ１  印刷領域
Ｐ２ａ  上部印刷領域
Ｐ２ｂ  下部印刷領域
Ｐ３  印刷領域
【図１】
2015106871.tif 000003
【図２】
2015106871.tif 000004
【図３】
2015106871.tif 000005
【図４】
2015106871.tif 000006
【図５】
2015106871.tif 000007
【図６】
2015106871.tif 000008
【図７】
2015106871.tif 000009
【図８】
2015106871.tif 000010
【図９】
2015106871.tif 000011